(57)【要約】【課題】アキュームレータの回転方向の振動が固有振動数と合致し、共振により製品配管を強く振動させる問題がある。【解決手段】本発明の圧縮機３は、圧縮機本体６と、圧縮機本体６の側方に配置されたアキュームレータ７とを有している。圧縮機３では、アキュームレータ７が、圧縮機本体６に対して支持台８を介して溶接で固定されている。アキュームレータ７から圧縮機構に冷媒を供給するための吸入管７ｂにおける、アキュームレータ７の外周面と圧縮機本体６の外周面との間の部分が、鉄管である。【選択図】図２
2015071988.tif 000002
【特許請求の範囲】
【請求項１】
圧縮機構およびモータを収容する圧縮機本体と、
前記圧縮機本体の側方に配置されたアキュームレータとを備え、
前記アキュームレータの外周面は、前記圧縮機本体の外周面に対して溶接で固定されるとともに、
前記アキュームレータから前記圧縮機構に冷媒を供給するための吸入管における、前記アキュームレータの外周面と前記圧縮機本体の外周面との間の部分が、鉄管であることを特徴とする圧縮機。
【請求項２】
前記吸入管は、
前記アキュームレータの側面から前記アキュームレータの内部に挿入されており、
前記アキュームレータの内部に配置されたL字状部分を有していることを特徴とする請求項１に記載の圧縮機。
【請求項３】
前記L字状部分は、銅管であることを特徴とする請求項２に記載の圧縮機。
【発明の詳細な説明】
【技術分野】
【０００１】
本発明は、例えば、圧縮機本体とアキュームレータとを有する圧縮機に関する。
【背景技術】
【０００２】
従来の圧縮機では、圧縮機本体と、圧縮機本体の外周面の支持台に対して固定されたアキュームレータとを有するものが一般的である。アキュームレータが支持台に対して固定される場合、アキュームレータの下面が圧縮機本体内の圧縮機構に冷媒を供給する吸入管によって支持された状態で、アキュームレータの中央部が支持バネによって支持台に固定される。
【先行技術文献】
【特許文献】
【０００３】
【特許文献１】特開平１１−１３６６６号
【発明の概要】
【発明が解決しようとする課題】
【０００４】
この場合、アキュームレータの支持点が支持台および吸入管の２つであることによって、アキュームレータの回転方向の固有振動数が300〜500 Hzの間にあるので、モータの基本波成分の4n，6n（300-500Hz）と合致しやすく、励起されやすい。また、現状のアキュームレータと圧縮機本体とを接続する経路は、銅管である吸入管による接続と、アキュームレータの中央部の支持バネだけであって、特に回転方向の支持剛性が低く、振動が伝わりやすくなる傾向にある。したがって、従来の圧縮機では、アキュームレータの回転方向の振動が固有振動数と合致し、共振により製品配管を強く振動させる問題がある。
【０００５】
そこで、本発明の目的は、アキュームレータの回転方向の振動が固有振動数と合致するのを防止できる圧縮機を提供することである。
【課題を解決するための手段】
【０００６】
第１の発明にかかる圧縮機は、圧縮機構およびモータを収容する圧縮機本体と、前記圧縮機本体の側方に配置されたアキュームレータとを備え、前記アキュームレータの外周面は、前記圧縮機本体の外周面に対して溶接で固定されるとともに、前記アキュームレータから前記圧縮機構に冷媒を供給するための吸入管における、前記アキュームレータの外周面と前記圧縮機本体の外周面との間の部分が、鉄管であることを特徴とする。
【０００７】
本発明において、アキュームレータの外周面は圧縮機本体の外周面に対して溶接で固定されるとは、アキュームレータを圧縮機本体に対して直接溶接で固定する場合と、アキュームレータを圧縮機本体に対して支持台を介して溶接で固定する場合を含む。
【０００８】
この圧縮機では、アキュームレータと圧縮機本体とを接続する経路が鉄管である吸入管による接続と、アキュームレータと圧縮機本体の間の溶接による接続であって、アキュームレータと圧縮機本体との支持剛性が強くなるので、アキュームレータの回転方向の固有振動数が大きくなる。したがって、モータの基本波成分の4n，6n（300-500Hz）と合致しにくく、励起されにくい。よって、アキュームレータの回転方向の振動が固有振動数と合致しにくくなって、共振により製品配管を強く振動させる問題を防止できる。
【０００９】
第２の発明にかかる圧縮機は、第１の発明にかかる圧縮機において、前記吸入管は、前記アキュームレータの側面から前記アキュームレータの内部に挿入されており、前記アキュームレータの内部に配置されたL字状部分を有していることを特徴とする。
【００１０】
この圧縮機では、吸入管がアキュームレータの下面からアキュームレータの内部に挿入される場合より、アキュームレータと圧縮機本体との支持剛性が強くなる。
【００１１】
第３の発明にかかる圧縮機は、第２の発明にかかる圧縮機において、前記L字状部分は、銅管であることを特徴とする。
【００１２】
この圧縮機では、吸入管における、アキュームレータの外周面と圧縮機本体の外周面との間の部分が鉄管であるのに対して、アキュームレータの内部のL字状部分が銅管であるので、曲げ加工が容易である。
【発明の効果】
【００１３】
以上の説明に述べたように、本発明によれば、以下の効果が得られる。
【００１４】
第１の発明では、アキュームレータと圧縮機本体とを接続する経路が鉄管である吸入管による接続と、アキュームレータと圧縮機本体の間の溶接による接続であって、アキュームレータと圧縮機本体との支持剛性が強くなるので、アキュームレータの回転方向の固有振動数が大きくなる。したがって、モータの基本波成分の4n，6n（300-500Hz）と合致しにくく、励起されにくい。よって、アキュームレータの回転方向の振動が固有振動数と合致しにくくなって、共振により製品配管を強く振動させる問題を防止できる。
【００１５】
第２の発明では、吸入管がアキュームレータの下面からアキュームレータの内部に挿入される場合より、アキュームレータと圧縮機本体との支持剛性が強くなる。
【００１６】
第３の発明では、吸入管における、アキュームレータの外周面と圧縮機本体の外周面との間の部分が鉄管であるのに対して、アキュームレータの内部のL字状部分が銅管であるので、曲げ加工が容易である。
【図面の簡単な説明】
【００１７】
【図１】本発明の第１実施形態に係る圧縮機を備えた室外機内の斜視図である。
【図２】図１に示す圧縮機の側面図である。
【図３】本発明の第２実施形態に係る圧縮機の側面図である。
【図４】本発明の第３実施形態に係る圧縮機の側面図である。
【図５】本発明の第４実施形態に係る圧縮機の側面図である。
【発明を実施するための形態】
【００１８】
以下、図面を参照しつつ本発明に係る圧縮機の実施の形態について説明する。
【００１９】
（第１実施形態）
図１に示すように、本実施形態の室外機１は、室外機１の底面を構成する底板２と、底板２上に配置される圧縮機３および室外熱交換器４と、室外熱交換器４に対向する送風ファン５とを備えている。圧縮機３は、圧縮機本体６と、圧縮機本体６の側方に配置されたアキュームレータ７とを有している。
【００２０】
圧縮機本体６は、円筒状であり、モータや圧縮機構を収容している。モータは、例えばロータとステータを有し、ロータにシャフトが固定されている。圧縮機構は、モータの駆動により圧縮機構内の冷媒を圧縮するものであって、圧縮された冷媒は、圧縮機本体６の上部の略中央に配置された吐出管６ａから吐出される。
【００２１】
アキュームレータ７は、圧縮機構に液冷媒が供給されるのを防止する円筒状容器であり、上部の略中央には入口管７ａが接続されている。アキュームレータ７は、圧縮機本体２の外周面に吸入管７ｂによって接続されている。吸入管７ｂは、圧縮機本体６の外周面に設けられた継手管に挿入された状態で継手管の内周面に溶接されている。また、吸入管７ｂは、アキュームレータ７の下面から内部に挿入されている。したがって、入口管７ａからアキュームレータ７の内部に導入された冷媒は、吸入管７ｂを通って圧縮機本体６の圧縮機構に吸入される。
【００２２】
圧縮機本体６の外周面には、支持台８が溶接で固定されている。また、支持台８は、アキュームレータ７の外周面に溶接で固定されている。したがって、アキュームレータ７は、圧縮機本体６に対して支持台８を介して溶接で固定されている。吸入管７ｂは、鉄管で構成される。
【００２３】
＜本実施形態の圧縮機の特徴＞
本実施形態の圧縮機３では、アキュームレータ７と圧縮機本体６とを接続する経路が鉄管である吸入管７ｂによる接続と、アキュームレータ７と圧縮機本体６の間に配置された支持台８を介した溶接による接続であって、アキュームレータ７と圧縮機本体６との支持剛性が強くなるので、アキュームレータ７の回転方向の固有振動数が大きくなる。したがって、モータの基本波成分の4n，6n（300-500Hz）と合致しにくく、励起されにくい。よって、アキュームレータ７の回転方向の振動が固有振動数と合致しにくくなって、共振により製品配管を強く振動させる問題を防止できる。
【００２４】
（第２実施形態）
図３は、この発明の第２実施形態を示している。第１実施形態の圧縮機では、アキュームレータ７が圧縮機本体６に対して支持台８を介して溶接で固定されているのに対し、第２実施形態では、アキュームレータ７の外周面が圧縮機本体６の外周面に対して直接溶接で固定されている点で異なっている。第２実施形態において、吸入管７ｂは、鉄管で構成される。なお、その他の構成は、第１実施形態と略同一の構成であるため、その説明を省略する。
【００２５】
（第３実施形態）
図４は、この発明の第３実施形態を示している。第１実施形態の圧縮機では、吸入管７ｂがアキュームレータ７の下面から内部に挿入されているのに対し、第２実施形態では、吸入管７ｂがアキュームレータ７の側面から内部に挿入されている点で異なっている。第３実施形態において、アキュームレータ７が圧縮機本体６に対して支持台８を介して溶接で固定されている。また、吸入管７ｂは、鉄管で構成される。なお、その他の構成は、第１実施形態と略同一の構成であるため、その説明を省略する。
【００２６】
（第４実施形態）
図５は、この発明の第４実施形態を示している。第１実施形態の圧縮機では、吸入管７ｂの全体が鉄管で構成されるのに対し、第４実施形態では、吸入管７ｂにおける、アキュームレータの外周面と圧縮機本体の外周面との間の部分が鉄管であって、アキュームレータ７の内部に配置されたL字状部分９が銅管である点で異なっている。第４実施形態において、鉄管である吸入管７ｂと銅管であるL字状部分９は溶接で接続されている。第４実施形態において、アキュームレータ７が圧縮機本体６に対して支持台８を介して溶接で固定されている。なお、その他の構成は、第１実施形態と略同一の構成であるため、その説明を省略する。
【００２７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００２８】
上述の実施形態では、アキュームレータ７が圧縮機本体６に対して支持台８を介して溶接で固定される場合を説明したが、アキュームレータ７が圧縮機本体６に対して支持台８の他の部材を介して溶接で固定されてもよい。
【産業上の利用可能性】
【００２９】
本発明を利用すれば、アキュームレータの回転方向の振動が固有振動数と合致するのを防止できる。
【符号の説明】
【００３０】
１  室外機
２  底板
３  圧縮機
６  圧縮機本体
７  アキュームレータ
８  支持台
【図１】
2015071988.tif 000003
【図２】
2015071988.tif 000004
【図３】
2015071988.tif 000005
【図４】
2015071988.tif 000006
【図５】
2015071988.tif 000007